(57)【要約】【課題】それぞれ一体的に形成されたバッテリの正負電極用端子およびこれら端子を使用し、突出部を有しないバッテリを提供すること。【解決手段】バッテリ１の正負電極用の第１端子１０および第２端子２０は、それぞれ接触部１４、挿入部１３、係合部１５およびこれら各部を相互接続するジョイント部１２により構成される。これら端子１０、２０は、バッテリ１の本体４の上面に取り付けられるミドルカバー３の凹部３１〜３４に配置され、係合部１５がバッテリの正負電極に接続固定され、接触部１４および挿入部１３がミドルカバー３の側面又はミドルカバー３の上に固定されるトップカバー２の開口から挿入部１３と共にアクセス可能に配置される。【選択図】　　　図１
2004063442.tif 000002
【特許請求の範囲】
【請求項１】
バッテリ等の正負電極からの電流を電子機器等に供給するために使用される端子において、
前記正負電極に接続される係合部と、それぞれ前記電子機器等に接触および挿入により接続される接触部および挿入部と、前記係合部、前記接触部および前記挿入部を相互に接続して一体化するジョイント部とを備えることを特徴とする端子。
【請求項２】
前記接触部には固定用のストッパが形成されていることを特徴とする請求項１に記載の端子。
【請求項３】
前記係合部の近傍には、位置決め固定用のストッパが形成されていることを特徴とする請求項１又は２に記載の端子。
【請求項４】
前記接触部、前記挿入部および前記係合部は、用途に応じて所定形状寸法に形成された前記ジョイント部の任意部分に設けられることを特徴とする請求項１、２又は３に記載の端子。
【請求項５】
前記接触部、前記係合部、前記挿入部および前記ジョイント部の少なくとも一部は別体に形成された後接合されて一体化されることを特徴とする請求項１、２又は３に記載の端子。
【請求項６】
略直方体の一面に突出形成された正負電極を有するバッテリ本体と、該バッテリ本体の前記一面に設けられたカバーと、前記正負電極に接続された１対の端子とを備え、前記カバーは前記正負電極が貫通する開口および前記端子を配置する凹部を有するミドルカバーおよび該ミドルカバーの上面を覆うトップカバーよりなり、該各端子は係合部、接触部、挿入部およびジョイント部を有し、前記端子の前記係合部は前記電極に接続され、前記接触部および前記挿入部は、前記ミドルカバーの側壁又は前記トップカバーの開口に配置され、外部電子機器に接続可能に構成されることを特徴とする端子を使用するバッテリ。
【請求項７】
前記各端子の接触部には、前記ミドルカバーに係合固定されるストッパが形成されていることを特徴とする請求項６に記載の端子を使用するバッテリ。
【請求項８】
前記各端子の係合部の近傍には、前記ミドルカバーに形成された停止溝に固定されるストッパが形成されていることを特徴とする請求項６又は７に記載の端子を使用するバッテリ。
【請求項９】
前記各端子は、導電性金属板により一体的に形成されることを特徴とする請求項６、７又は８に記載の端子を使用するバッテリ。
【請求項１０】
前記各端子の前記接触部、前記挿入部、前記係合部および前記ジョイント部の少なくとも一部は別体に形成され、相互に接合して一体化されることを特徴とする請求項６、７又は８に記載の端子を使用するバッテリ。
【発明の詳細な説明】
【０００１】
【発明の属する技術分野】
本発明は端子およびそれを使用するバッテリに関し、特に接触部および挿入部を有する端子および斯かる１対の端子を使用するバッテリに関する。
【０００２】
【従来の技術】
最近の生活の質の追求が進むにつれて汚染や環境保護の問題がクローズアップされ、更に天然資源の有効活用や保護が世界的に一層真剣に取り扱われるようになっている。電池の使用に関し、例えば乾電池等の一次電池は、例えば鉛−酸電池やリチウムイオン電池等の反復充電および再充電可能な二次電池に順次置換され、環境保護および天然資源の有効活用が行われている。
【０００３】
一般的なバルブ制御鉛−酸電池（以下、ＶＲＬＡバッテリという）は、反復充放電機能を有するが、斯かるバッテリの正負電極がバッテリ表面から突出するので、短絡（ショート）を生じる恐れがある。
【０００４】
台湾実用新案第８４２０７５６０号および第８４２０８１００号公報は、それぞれ内部に隠された端子を有し、これにより短絡の危険を回避し、更にバッテリの交換を容易にするバッテリおよびその端子を開示している。また、これらバッテリ端子は、通常の電線（ワイヤ）のみならず回路基板にも接触又は接続可能にしている。
【０００５】
【発明が解決しようとする課題】
しかし、上述した回路基板と接触および接続機能を有するバッテリ端子は、回路基板が垂直方向に挿入されるものに限定されるという課題があった。そして、その締め付けスペースは、垂直に挿入される回路基板にとても好適であるとは言えなかった。従って、通常のワイヤや回路基板に接触又は接続する従来の端子およびバッテリは、スペースの有効活用ができないという課題を有するものであった。
【０００６】
【発明の目的】
本発明は、従来技術の上述した課題に鑑みなされたものであり、構成が簡単で且つ不当なスペースを必要としない端子およびそれを使用し、電極の短絡の危険を回避するバッテリを提供することを目的とする。
【０００７】
【課題を解決するための手段】
本発明の端子は、バッテリ等の正負電極からの電流を電子機器等に供給するために使用される端子であって、正負電極に接続される係合部と、それぞれ電子機器等に接触および挿入により接続される接触部および挿入部と、係合部、接触部および挿入部を相互に接続して一体化するジョイント部とを備えることを特徴とする。本好適実施形態によると、接触部および／又は係合部の近傍には固定用のストッパが形成されている。接触部、挿入部および係合部は、用途に応じて所定形状寸法に形成されたジョイント部の任意部分に設けられる。接触部、係合部、挿入部およびジョイント部の少なくとも一部は、別体に形成された後接合されて一体化される。
【０００８】
また、本発明の端子を使用するバッテリは、略直方体の一面に突出形成された正負電極を有するバッテリ本体と、このバッテリ本体の一面に設けられたカバーと、正負電極に接続された１対の端子とを備え、カバーは正負電極が貫通する開口および端子を配置する凹部を有するミドルカバーおよびこのミドルカバーの上面を覆うトップカバーよりなり、各端子は係合部、接触部、挿入部およびジョイント部を有し、各端子の係合部は電極に接続され、接触部および挿入部はミドルカバーの側壁又はトップカバーの開口に配置され、外部電子機器に接続可能に構成されることを特徴とする。本発明の好適実施形態によると、各端子の接触部には、ミドルカバーに係合固定されるストッパが形成されている。各端子の係合部の近傍には、ミドルカバーに形成された停止溝に固定されるストッパが形成されている。各端子は、導電性金属板により一体的に形成される。各端子の接触部、係合部、挿入部およびジョイント部の少なくとも一部は、別体に形成され、相互に接合して一体化される。
【０００９】
【発明の実施の形態】
以下、本発明による端子およびそれを使用するバッテリの好適実施形態の構成および動作を、添付図面を参照して詳細に説明する。
【００１０】
先ず、図１は、本発明による端子の第１実施形態の斜視図であり、（Ａ）は斯かる第１端子１０を上方から見た斜視図であり、（Ｂ）は下方から見た斜視図である。この端子１０は、図６乃至図８を参照して後述する本発明のバッテリ１に使用される正極端子として使用される。
【００１１】
図１（Ａ）および（Ｂ）に示す如く、この端子１０は、導電性金属のスタンピング（打ち抜き折り曲げ加工）により形成される一体構造である。この端子１０は、接触部１４、挿入部１３、係合部１５及びこれら接触部１４、挿入部１３および係合部１５を相互接続するジョイント部（又は接合部）１２により構成される。
【００１２】
この第１端子１０について更に詳述すると、ジョイント部１２の一端の一側に垂直壁１１が形成され、この垂直壁１１の底の左右両側は、外側に張り出して２個のストッパ１１１を形成する。また、垂直壁１１の末端は、水平方向へ延びて垂直壁１１と直角な係合部１５を形成する。この係合部１５には、丸穴１５１が形成され、バッテリ（図１中には図示しない）１の端子ポストと係合する。挿入部１３には、打抜穴１３１が形成されている。ジョイント部１２の一端に形成された挿入部１３は、導電性ワイヤ等に挿入されて外部電子機器（又は電気機器）と接続するために使用される。
【００１３】
一方、ジョイント部１２の他端には、上接触面１４１および１対の側壁１４３が形成されている。この上接触面１４１から、接触部１４は下方へ延びている。側壁１４３には、１対のストッパ１４４が内側へ切り起こされている。この接触部１４は、外部電子機器の接触部に接触手段で接触して電気的接続を行うために使用される。
【００１４】
次に、図２は、本発明による端子の第２実施形態の斜視図である。この第２端子２０は、後述する本発明のバッテリ（図６乃至図８参照）１の負極端子に使用される端子である。
【００１５】
図２に示す如く、第２端子２０は、導電性金属をスタンピングすることにより形成される。この端子２０は、上述した端子１０と同様に、接触部１４、挿入部１３、係合部１５およびこれら接触部１４、挿入部１３および係合部１５を相互接続するジョイント部１２により構成される。
【００１６】
更に詳細に説明すると、この第２端子２０は、ジョイント部１２の一端の一側に垂直壁１１が形成され、この垂直壁１１の左右両側を外報へ突出させて２個のストッパ１１１を形成している。また、この垂直壁１１の末端は、水平方向へ延びて垂直壁１１と直角である係合部１５を形成する。この係合部１５には、丸穴１５１が形成され、図２中には図示しないバッテリ１の端子ポストに係合される。挿入部１３には、打ち抜きされた穴１３１が形成されている。この挿入部１３は、導電性ワイヤを介して挿入手段により外部電気機器と係合して電気接続するために使用される。
【００１７】
ジョイント部１２の他端には、上接触面１４１が形成されている。この上接触面１４１から接触部１４は、垂直下方へ延びた１対の側壁１４３を有する。この側壁１４３は、それぞれ内方への切り起し部１４４を有する。この接触部１４は、外部電子機器の接触部と接触手段により接触して電気的接続を行うために使用される。
【００１８】
上述した第１端子１０および第２端子２０において、挿入部１３の形成位置が異なり、またジョイント部１２の曲げ形状も異なる。その主な理由は、これら両端子１０、２０のバッテリ１への取付位置が異なるためである。
【００１９】
次に、図３乃至図５を参照してバッテリ１のカバー、即ち中間バッテリカバー（以下ミドルカバーという）３について説明する。このミドルカバー３は、上述した第１端子１０および第２端子２０を本発明のバッテリ１に配置するために使用される。
【００２０】
このミドルカバー３は、第１端子１０に使用される係合部凹部３１、インサート部凹部３２、ジョイント部凹部３３および接触部凹部３４と、第２端子２０に使用される係合部凹部３１’、挿入部凹部３２’、ジョイント接触部凹部３４’を有する。係合部凹部３１は第１端子１０の係合部１５を配置するために使用され、挿入部凹部３２は第１端子１０の挿入部１３を配置するために使用され、ジョイント部凹部３３は第１端子１０のジョイント部１２を配置するために使用されおよび接触部凹部３４は第１端子１０の接触部１４を配置するために使用される。同様に、係合部凹部３１’、挿入部凹部３２’、ジョイント部凹部３３’および接触部凹部３４’は、それぞれ第２端子２０の係合部１５、挿入部１３、ジョイント部１２および接触部１４を配置するために使用される。
【００２１】
更に、ミドルカバー３は、係合部凹部３１の底に端子ポスト穴３１１を有し、これにより端子ポストが係合部凹部３１を貫通可能にする。そして、第１端子１０は、第１端子１０の係合部１５に形成された丸穴１５１にバッテリ１の端子ポストを挿入して、端子ポストと接触させる。これにより、バッテリ１の電気を係合部１５およびジョイント部１２を介して接触部１４および挿入部１３に送る。１対のストッパ３１３が係合部凹部３１内に設けられ第１端子１０のストッパ１１１がその内部に係合可能である。これにより、係合部１５は固定され、移動防止される。
【００２２】
２辺に停止溝３４２を有する停止ポール３４１が接触部凹部３４内に配置されている。第１端子１０の接触部１４が接触部凹部３４に配置されると、第１端子１０の接触部１４の両側壁１４３を切り起こして形成されたストッパ１４４が停止溝３４２に係合する。この係合により、第１端子１０の接触部１４は、ミドルカバー３に対して移動が阻止される。
【００２３】
次に、第２端子２０とミドルカバー３について説明すると、第２端子２０とミドルカバー３との関係は、第１端子１０とミドルカバー３の関係と同様である。即ち、ミドルカバー３は、係合部凹部３１’の底面にバッテリ１の端子ポスト穴３１１’を有する。よって、端子ポストはこの係合部凹部３１’の端子ポスト穴を貫通すると共に第２端子２０の係合部１５の丸穴１５１を貫通して係合する。これにより、バッテリ１からの電気を第２端子２０のジョイント部１２により係合部１５を介して接触部１４および挿入部１３へ送る。係合部凹部３１内には１対の停止溝３１３’が、第２端子２０の１対のストッパ１１１と係合する。これにより、第２端子２これにより、第２端子２０の係合部１５は固定され、移動が阻止される。
【００２４】
両側に停止溝３４２’を有する停止ポール３４１’が接触部凹部３４’内に配置され、第２端子２０の接触部１４が接触部凹部３４’に配置されると、第２端子２０のストッパ１４４が停止溝３４２’と係合し、第２端子２０の接触部１４がミドルカバー３内で移動するのを阻止する。
【００２５】
次に、図６乃至図８を参照して本発明のバッテリについて説明する。図６は、上述した第１端子１０、第２端子２０およびミドルカバー３を使用する本発明のバッテリの第１実施形態の斜視図である。このバッテリ１Ａでは、バッテリ１Ａの本体４の上部のミドルカバー３の所定位置に配置した第１端子１０を正電極とし、第２端子２０を負電極とする。そして、その上にトップカバー２で覆っている。このトップカバー２には、挿入部凹部３２用の開口が形成されている。これらミドルカバー３およびトップカバー２によりバッテリカバーを形成する。
【００２６】
図６から明らかな如く、第１端子１０および第２端子２０の接触部１４は、バッテリ１Ａの同じ側の垂直壁に配置されている。従って、外部電子機器は、最適な接触手段により、ここで電気的接触可能である。また、図６から明らかな如く、第１端子１０および第２端子２０の挿入部１３は、バッテリ１Ａの水平壁上に配置され、最適な挿入手段により、ここにおいて外部電子機器に電気的接続が可能である。
【００２７】
次に、図７および図８は、本発明によるバッテリの他の実施形態の斜視図であり、挿入部および接触部の位置が異なることを明示している。図７に示す如く、バッテリ１Ｂの接触部１４は、トップカバー２の上面に移され、第１端子１０および第２端子２０の上接触面１４１が接触部として使用される。換言すると、接触機能を有する本来の接触部１４は、バッテリカバー３内に隠されるか廃棄されている。
【００２８】
更に、図８に示すバッテリ１Ｃにあっては、正負電極となる１対の接触部１４は、ミドルカバー３の他の垂直壁に移されている点で図６に示すバッテリ１Ａと相違する。この実施形態のバッテリ１Ｃにおいて、第１端子１０および第２端子２０のジョイント部は異なる曲げタイプとされ、この接触部の相違に対応させている。
【００２９】
本発明によるバッテリ１の端子は、上述した実施形態のみに限定されるものではないこと勿論である。各端子１０、２０が配置される位置およびその各部分の位置は、必要に応じて適宜変更可能である。例えば、同じ端子の挿入部および接触部を、対向するまたは隣接する垂直壁に配置してもよい。更に、係合部の近傍に形成されているストッパは、ジョイント部の近傍に変更してもよく、また挿入部に１対のストッパを更にまた、接触部、挿入、接触部、挿入部および係合部を一体形成するのみならず、これらを個別に形成して半田付けその他の手段により一体化してもよい。
【００３０】
以上、本発明による端子およびそれを使用するバッテリの好適実施形態の構成および動作（作用）を詳述した。しかし、斯かる実施形態は、本発明の単なる例示に過ぎず、特定用途に応じて種々の変形変更が可能であること、当業者には容易に理解できよう。
【００３１】
【発明の効果】
以上の説明から理解される如く、本発明の端子およびそれを使用するバッテリによると、次の如き実用上の顕著な効果が得られる。即ち、端子はジョイント部で相互接続された接触部、挿入部および係合部を有するので、外部電子機器に接触又は挿入接続手段により電流を供給することが可能である。また、これらの各部を有する端子を導電性金属板のスタンピングなどにより一体形成するので、安価である。更に、接触部、挿入部および係合部を、所望形状寸法のジョイント部の任意部分に配置可能であるので自由度が増す。
【００３２】
また、この端子を使用するバッテリは、バッテリカバーにより端子の必要部分を除き覆われるので、短絡の危険を回避可能である。更に、各端子は、ミドルカバーの所定位置に安定確実に固定可能である。また、外部電子機器への用途に応じて種々の形態に容易に変更可能である。
【図面の簡単な説明】
【図１】本発明による端子の第１実施形態の斜視図であり、（Ａ）は上方から見た斜視図（Ｂ）は下方から見た斜視図である。
【図２】本発明による端子の第２実施形態の斜視図である。
【図３】本発明の端子を使用するバッテリのミドルカバーの上面図である。
【図４】図３に示すミドルカバーの斜視図である。
【図５】図４のミドルカバーに図１の端子を組み立てた斜視図である。
【図６】本発明による端子を使用するバッテリの第１実施形態の斜視図である。
【図７】本発明による端子を使用するバッテリの第２実施形態の斜視図である。
【図８】本発明による端子を使用するバッテリの第３実施形態の斜視図である。
【符号の説明】
１Ａ〜１Ｃ　端子を使用するバッテリ
２　トップカバー
３　ミドルカバー
４　バッテリ本体
１０、２０　端子
１２　ジョイント部
１３　挿入部
１４　接触部
１５　係合部
１１１、１４４　ストッパ
３１〜３４　凹部
【図１】
2004063442.tif 000003
【図２】
2004063442.tif 000004
【図３】
2004063442.tif 000005
【図４】
2004063442.tif 000006
【図５】
2004063442.tif 000007
【図６】
2004063442.tif 000008
【図７】
2004063442.tif 000009
【図８】
2004063442.tif 000010